(57)【要約】【課題】  プリンタに内蔵された記録紙を用いると共に記録紙の切断と糊転着を手動操作で行うカッター付糊転着機を提供する。【解決手段】  本体１４には、紙幅より左右１ｍｍ大きく水平移動できるように設定された往復台１５と往復台１５に上下に２．５ｍｍ移動可能なカッター１６とローラー１７を付けた上下移動駒１８と操作レバー１９を付けた上下移動駒１８に応力を与える水平移動駒２０と上下移動駒１８を引き下げる引っ張りバネ２１と巻き取りテープリール２２と糊付けテープリール２３に渡された糊付きテープ２４を設け、巻き取り方向にのみ回転するラチェット機構を組み込んだ巻き取りテープリール２２と糊付けテープリール２３と往復台１５をチエン２５で結び、カッター動作と糊転着動作と糊付きテープの移動を操作レバー１９により２操作で行えるようにしている。【選択図】図３
2014172757.tif 000002
【特許請求の範囲】
【請求項１】
本体には、下点から上点に向け３ｍｍ移動し紙幅より左右１ｍｍ大きく移動できるように設定された基台に操作レバーとカッターとローラーが取り付けられた往復台と、巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をタイミングベルトで結び、カッター動作と糊転着動作と糊付きテープの移動を操作レバーにより４操作で行えるようにしたことを特徴とするカッター付糊転着機。
【請求項２】
本体には、紙幅より左右１ｍｍ大きく水平移動できるように設定された往復台と往復台に上下に２．５ｍｍ移動可能なカッターとローラーを付けた上下移動駒と操作レバーを付けた上下移動駒に応力を与える水平移動駒と上下移動駒を引き下げる引っ張りバネと巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をチエンで結び、カッター動作と糊転着動作と糊付きテープの移動を操作レバーにより２操作で行えるようにしたことを特徴とするカッター付糊転着機。
【請求項３】
本体には、紙幅より左右１ｍｍ大きく水平移動できるように設定された往復台と往復台に上下に２．５ｍｍ移動可能なカッターと中心部に円柱突起部を設けたローラーを付けた上下移動駒とローラー中心部の円柱突起部を案内する案内ガイドと操作レバーを付けた上下移動駒に応力を与える水平移動駒と上下移動駒を引き下げる引っ張りバネと巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をチエンで結び、カッター動作と糊転着動作と糊付きテープの移動を行うと共に、ローラーの圧力を安定状態で且つ操作レバーを２操作で行えるようにしたことを特徴とするカッター付糊転着機。
【請求項４】
背中に刃を設けないカッターを用い記録紙の幅方向の前端０．２〜２．０ｍｍを残し切れ目を形成するようにカッター位置を調整したり、両端０．２〜２．０ｍｍを残し切れ目を形成するように位置を調整することや、背中に刃を設けたカッターを用い先端を記録紙の切断面前端より０．４ｍｍ内側で記録紙に突き刺す寸前の状態から０．５ｍｍ突き刺さる位置（上点）まで移動させることによりカッターの背中に設けた刃が０．４ｍｍ残した切断面前端を全て切断させ、記録紙の幅方向の両端を残さず切れ目を形成することを特徴とする請求項１〜請求項３に記載のカッター付糊転着機。
【発明の詳細な説明】
【技術分野】
【０００１】  本発明は、プリンタを内蔵した携帯用電子機器に付属装着され、印刷後に送出された記録紙を切断すると同時に記録紙端面の裏側の一部分に点状に糊を転着させる動作を手動で実施する装置に関するものである。
【背景技術】
【０００２】  従来では、文房具用の付箋紙として積層された短冊状の紙に文字や図形を書き込んで、用紙端面の裏側に塗布された糊により特定の部位に貼付して用いる形態のものが知られている。【０００３】  また、印刷後に送出された記録紙を切断する手段として、ミシン目状の切断線を形成したり、一対の合わせ刃を平行移動させる形態のものが知られている。【０００４】  特許文献１には、感熱紙３が接着剤を介して剥離紙４に積層されてなるロール紙１を用いる。ロール紙１には所定の間隔でミシン線６が形成され、ミシン線６で区切られた各領域毎に切断線７が形成される。また、剥離紙４上に印字位置を定めるマーク８が所定の間隔で付される。印字時にマーク８を検出して切断線７の上流又は下流例の感熱紙３上の領域に印字を行い、切断線７より下流側の切断手段による切断位置でロール紙１の搬送を停止する。これにより、切断線７の下流側に対応する感熱紙３上の領域に印字がなされ、切断線７の下流側で切断手段によりロール紙１を切断すれば、剥離紙４が切断線７で分割され、その片側に対応する感熱紙３上の領域に印字がなされた印字物が得られる。従って、印字されていない感熱紙３に対応した剥離紙４を剥がして接着剤を露出させれば、きれいな文字が表記された付箋紙として使用できる、印字装置及び記録紙が提案されている。この方法は、感熱紙が接着剤を介して剥離紙に積層されてなるロール紙を用いているため、接着剤と剥離紙の厚み分がロール紙の全長を制限する問題点と専用の用紙を用いなければならない問題点がある。【０００５】  特許文献２には、画像が形成されると、図６（ａ）の状態からキャリッジ３５を、用紙９の一端より３ｍｍ内側の始点Ａまで動かし（図６（ｂ））、カッター４７を突出させ、刃先４７ａを用紙９に突き刺す（図６（ｃ））。そのままキャリッジ３５を用紙９の他端より３ｍｍ手前の終点Ｂまで移動させて、切れ目１７を形成し（図６（ｄ））、カッター４７をキャリッジ３５内に収納する（図６（ｅ））。図６（ｃ）から図６（ｄ）に掛けて、用紙９は常に両端にて自らを支えているため、切れ目１７は一直線に形成され、曲線状にならない、プリンタが提案されている。この方法は、用紙に対する切断抵抗が少ないため綺麗な切断面を有する優れた方法であるが、ソレノイドや駆動機構が電力を消費し省エネルギー化が難しく携帯機器には向かない問題点がある。【０００６】
【特許文献１】特開２００１−１８００６０号公報
【特許文献２】特開平１０−１６３３１号公報
【発明の開示】
【発明が解決しようとする課題】
【０００７】  プリンタを内蔵した携帯用電子機器は、消費する電力に応じて電池の容量を決定しているため、付属装着された機器に携帯用電子機器の電池を分岐して使用すると、電池容量が不足し稼働時間が短縮される問題点が発生する。【０００８】  そこで本発明は、プリンタに内蔵された記録紙を用いると共に記録紙の切断と糊転着を手動操作で行うカッター付糊転着機を提供することを目的とする。
【課題を解決するための手段】
【０００９】  上記の課題を達成するため、請求項１に記載したカッター付糊転着機は、本体には、下点から上点に向け３ｍｍ移動し紙幅より左右１ｍｍ大きく移動できるように設定された基台に操作レバーとカッターとローラーが取り付けられた往復台と、巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をタイミングベルトで結び、カッター動作と糊転着動作と糊付きテープの移動を操作レバーにより４操作で行えるようにしたことを特徴としている。【００１０】  この発明では、カッター（ローラー）上昇とカッター（ローラー）下降と往復台の水平移動を操作レバーにより、カッター先端を記録紙に突き刺す動作、切断動作を開始し切れ目を形成すると同時に記録紙をローラーとスリット上面との間に挟み込み糊付きテープの糊を記録紙の裏側の切断部分手前に点状に転着させる動作、カッター（ローラー）を下げる動作、糊付きテープを引き出す動作を４操作で行う。【００１１】  請求項２に記載のカッター付糊転着機では、本体には、紙幅より左右１ｍｍ大きく水平移動できるように設定された往復台と往復台に上下に２．５ｍｍ移動可能なカッターとローラーを付けた上下移動駒と操作レバーを付けた上下移動駒に応力を与える水平移動駒と上下移動駒を引き下げる引っ張りバネと巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をチエンで結び、カッター動作と糊転着動作と糊付きテープの移動を操作レバーにより２操作で行えるようにしたことを特徴としている。【００１２】  この発明では、操作レバーを右から左に移行する動作を開始すると、往復台内の水平移動駒の移動に伴いカッターとローラーを付けた上下移動駒を押し上げる応力を与え、カッター先端を記録紙に突き刺す動作、切断動作を開始し切れ目を形成すると同時に記録紙をローラーとスリット上面との間に挟み込み糊付きテープの糊を記録紙の裏側の切断部分手前に点状に転着させる動作を行う。続いて操作レバーを左から右に移行する動作を開始すると、上下移動駒を押し上げる応力がなくなり引っ張りバネによりカッターとローラーを付けた上下移動駒を引き下げる動作、糊付きテープを引き出す動作を２操作で行う。【００１３】  請求項３に記載のカッター付糊転着機では、本体には、紙幅より左右１ｍｍ大きく水平移動できるように設定された往復台と往復台に上下に２．５ｍｍ移動可能なカッターと中心部に円柱突起部を設けたローラーを付けた上下移動駒とローラー中心部の円柱突起部を案内する案内ガイドと操作レバーを付けた上下移動駒に応力を与える水平移動駒と上下移動駒を引き下げる引っ張りバネと巻き取りテープリールと糊付けテープリールに渡された糊付きテープを設けたカッター付糊転着機において、巻き取り方向にのみ回転するラチェット機構を組み込んだ巻き取りテープリールと糊付けテープリールと往復台をチエンで結び、カッター動作と糊転着動作と糊付き��ープの移動を行うと共に、ローラーの圧力を安定状態で且つ操作レバーを２操作で行えるようにしたことを特徴としている。【００１４】  この発明では、操作レバーを右から左に移行する動作を開始すると、往復台内の水平移動駒の移動に伴いカッターとローラーを付けた上下移動駒を押し上げる応力を与え、カッター先端を記録紙に突き刺す動作、案内ガイドにローラー中心部の円柱突起部を乗せる動作、切断動作を開始し切れ目を形成すると同時に記録紙をローラーとスリット上面との間に挟み込み糊付きテープの糊を記録紙の裏側の切断部分手前に点状に安定転着させる動作を行う。続いて操作レバーを左から右に移行する動作を開始すると、上下移動駒を押し上げる応力がなくなり引っ張りバネによりカッターとローラーを付けた上下移動駒を引き下げる動作、糊付きテープを引き出す動作を２操作で行う。【００１５】  請求項４に記載のカッター付糊転着機では、背中に刃を設けないカッターを用い記録紙の幅方向の前端０．２〜２．０ｍｍを残し切れ目を形成するようにカッター位置を調整したり、両端０．２〜２．０ｍｍを残し切れ目を形成するように位置を調整することや、背中に刃を設けたカッターを用い先端を記録紙の切断面前端より０．４ｍｍ内側で記録紙に突き刺す寸前の状態から０．５ｍｍ突き刺さる位置（上点）まで移動させることによりカッターの背中に設けた刃が０．４ｍｍ残した切断面前端を全て切断させ、記録紙の幅方向の両端を残さず切れ目を形成することを特徴としている。
【発明の効果】
【００１６】  以上説明したように請求項１の発明によれば、切断すると同時に記録紙をローラーとスリット上面との間に挟み込むため記録紙が固定され、カッター先端を記録紙に突き刺す動作や切断動作が安定する。また、携帯用電子機器より印刷後に送出された記録紙を用いるため、ロール紙の全長を制限する問題点と専用の用紙を用いなければならない問題点を解決し、手動操作のため電力を必要としないので電力の問題も解決できる。【００１７】  請求項２の発明によれば、上記の発明の効果に加え、操作レバー動作を４操作から２操作に減らしたので操作性が向上する。【００１８】  請求項３の発明によれば、上記の発明の効果に加え、ローラーの圧力が安定状態で操作レバーを２操作で行うことができる。【００１９】  請求項４の発明によれば、背中に刃を設けないカッターや背中に刃を設けたカッターを用い、記録紙の幅方向の両端０．２〜２．０ｍｍを残し切れ目を形成したり、両端を残さず切れ目を形成することができる。
【発明を実施するための最良の形態】
【００２０】  以下、本発明の実施形態を図１〜図６を参照して詳細に説明する。図１は本発明の４操作レバー式のカッター付糊転着機の正面図と側面図、図２は本発明の４操作レバー式のカッター付糊転着機のレバー操作図、図３は本発明の２操作レバー式のカッター付糊転着機の正面図と側面図、図４は本発明の２操作レバー式のカッター付糊転着機のレバー操作図、図５は本発明の２操作レバー式のカッター付糊転着機の改良部分を示す正面図と側面図、図６は本発明のカッターの拡大図である。【００２１】  図１に示す４操作レバー式のカッター付糊転着機本体１には、下点から上点に向け３ｍｍ移動し紙幅より左右１ｍｍ大きく移動できるように設定された基台に操作レバー２とカッター３とローラー４が取り付けられた往復台５と、巻き取りテープリール６と糊付けテープリール７に渡された糊付きテープ８を設け、巻き取り方向にのみ回転するラチェット機構を組み込んだ巻き取りテープリール６と糊付けテープリール７と往復台５をタイミングベルト９で結び、カッター動作と糊転着動作と糊付きテープの移動を操作レバー２により４操作で行えるようにしている。【００２２】  図２に示す４操作レバー式のカッター付糊転着機のレバー操作は、スタート位置（Ａ）から移動位置（１）に移行することにより、図１の操作レバー２’から操作レバー２の位置に３ｍｍ上昇することとなりカッター３の先端は下点１０から上点１１に到達する。続いて移動位置（１）から移動位置（２）に移行することにより、往復台５に取り付けられたカッター３の先端は上点１１の高さを保って右から左に移動し往復台５’（上点１１’）に到達する。続いて移動位置（２）から移動位置（３）に移行することにより、カッター３の先端を下点１０’に戻す。続いて移動位置（３）から移動位置（４）（スタート位置（Ａ））に移行することにより、往復台５’はカッター３の先端を下点１０’の高さを保って左から右に移動し往復台５の位置に戻ると共に、往復台５に取り付けられたタイミングベルト９が左から右に移動し、巻き取りテープリール６を巻き取り方向に回転させるため糊付きテープ８をタイミングベルト９の移動距離と同じ長さ分を引き出す。【００２３】  ４操作レバー式のカッター付糊転着機は、携帯用電子機器より印刷後に送出された記録紙を切断すると同時に記録紙端面の裏側の一部分に点状に糊を転着させる動作を手動で実施するものであり、印刷後に送出された記録紙１２が本体１後方のスリット１３中を糊付きテープ８より上方を通過して前方（操作レバー２側）に突出し停止する。記録紙１２の停止を確認し、操作レバー２’（下点）から操作レバー２（上点）の位置に移動するとカッター３の先端は記録紙１２の切断面前端より０．５ｍｍ内側で記録紙１２に０．５ｍｍ突き刺さる。続いて記録紙１２に突き刺された状態を維持し操作レバー２を右から左に移動すると、切断を開始し記録紙１２の切断面後端を残さず切れ目を形成すると同時に記録紙１２をローラー４とスリット１３上面との間に挟み込み糊付きテープ８の糊を記録紙１２の裏側の切断部分手前に点状に転着させる。続いて操作レバー２を下点の位置まで押し下げるとカッター３の先端は記録紙１２より下部の下点１０の高さ���下降する。続いて操作レバー２を下点の位置を維持し左から右に移動するとスタート位置に戻ると共に往復台５に取り付けられたタイミングベルト９が左から右に移動し、巻き取りテープリール６を巻き取り方向に回転させるため糊付きテープ８をタイミングベルト９の移動距離と同じ長さを引き出すので全ての位置関係と状態が初期状態に戻り次の記録紙１２の送出待ちとなる。また、糊付きテープ８にセットされる糊の形状は点状の他、棒状でも楕円型でも良く形状を限定するものではない。【００２４】  図３に示す２操作レバー式のカッター付糊転着機本体１４には、紙幅より左右１ｍｍ大きく水平移動できるように設定された往復台１５と往復台１５に上下に２．５ｍｍ移動可能なカッター１６とローラー１７を付けた上下移動駒１８と操作レバー１９を付けた上下移動駒１８に応力を与える水平移動駒２０と上下移動駒１８を引き下げる引っ張りバネ２１と巻き取りテープリール２２と糊付けテープリール２３に渡された糊付きテープ２４を設け、巻き取り方向にのみ回転するラチェット機構を組み込んだ巻き取りテープリール２２と糊付けテープリール２３と往復台１５をチエン２５で結び、カッター動作と糊転着動作と糊付きテープの移動を操作レバー１９により２操作で行えるようにしている。【００２５】  図４に示す２操作レバー式のカッター付糊転着機のレバー操作は、スタート位置（Ａ）から移動位置（１）に移行する動作を開始すると、図３の水平移動駒２０の右から左の移動に伴い上下移動駒１８を押し上げる応力を与え２．５ｍｍ上昇することとなりカッター１６の先端は下点２６から上点２７に到達する。上下移動駒１８が頂点に達すると上下移動駒１８に取り付けられたカッター１６の先端は上点２７の高さを保って往復台１５は水平移動を開始し移動位置（１）に到達する。続いて移動位置（１）から移動位置（２）に移行する動作を開始すると、水平移動駒２０の左から右の移動に伴い上下移動駒１８を押し上げる応力がなくなり引っ張りバネ２１により上下移動駒１８を引き下げ、カッター１６の先端を上点２７’から下点２６’に戻すと同時に往復台１５は水平移動を開始し移動位置（２）（スタート位置（Ａ））に戻ると共に、往復台１５に取り付けられたチエン２５が左から右に移動し、巻き取りテープリール２２を巻き取り方向に回転させるため糊付きテープ２４をチエン２５の移動距離と同じ長さ分を引き出す。【００２６】  ２操作レバー式のカッター付糊転着機は、携帯用電子機器より印刷後に送出された記録紙を切断すると同時に記録紙端面の裏側の一部分に点状に糊を転着させる動作を手動で実施するものであり、印刷後に送出された記録紙２８が本体１４後方のスリット２９中を糊付きテープ２４より上方を通過して前方（操作レバー１９側）に突出し停止する。記録紙２８の停止を確認し、操作レバー１９を右から左に移行する動作を開始すると、水平移動駒２０の右から左の移動に伴い上下移動駒１８を押し上げる応力を与え２．５ｍｍ上昇することとなりカッター１６の先端は記録紙２８の切断面前端より０．５ｍｍ内側で記録紙２８に０．５ｍｍ突き刺さる。上下移動駒１８が頂点に達すると上下移動駒１８に取り付けられたカッター１６の先端は記録紙２���に突き刺された状態を維持し、往復台１５は水平移動と共に切断を開始し記録紙２８の切断面後端を残さず切れ目を形成すると同時に記録紙２８をローラー１７とスリット２９上面との間に挟み込み糊付きテープ２４の糊を記録紙２８の裏側の切断部分手前に点状に転着させる。続いて操作レバー１９を左から右に移行する動作を開始すると、水平移動駒２０の左から右の移動に伴い上下移動駒１８を押し上げる応力がなくなり引っ張りバネ２１により上下移動駒１８を引き下げ、カッター１６の先端を上点２７’から下点２６’に戻すと同時に往復台１５は水平移動を開始し移動位置（２）（スタート位置（Ａ））に戻ると共に往復台１５に取り付けられたチエン２５が左から右に移動し、巻き取りテープリール２２を巻き取り方向に回転させるため糊付きテープ２４をチエン２５の移動距離と同じ長さ分を引き出すので全ての位置関係と状態が初期状態に戻り次の記録紙２８の送出待ちとなる。【００２７】  カッター付糊転着機で使用される転着用の糊は、付箋紙として用いる場合には取り剥がしが容易に行えるように粘着性を下げ、郵便物貼付用途や屋外で使用される記録物貼付用途ではそれぞれの目的に合わせて粘着性を上げているため、使用用途の違いによりローラー１７の圧力を安定させる必要が生じた場合は、図５に示す案内ガイド３０、３１とローラー１７中心部に円柱突起部３２を追加し、操作レバー１９を右から左に操作する際にローラー１７の圧力を安定状態で且つ操作レバー１９を２操作で行えるようにしている。【００２８】  図５に示す２操作レバー式のカッター付糊転着機は、図３に案内ガイド３０、３１を追加したものであり動作説明では図３の符号と追加符号を使用している。
印刷後に送出された記録紙２８が本体１４後方のスリット２９中を糊付きテープ２４より上方を通過して前方（操作レバー１９側）に突出し停止する。記録紙２８の停止を確認し、操作レバー１９を右から左に移行する動作を開始すると、水平移動駒２０の右から左の移動に伴い上下移動駒１８を押し上げる応力を与え２．５ｍｍ上昇することとなりカッター１６の先端は記録紙２８の切断面前端より０．５ｍｍ内側で記録紙２８に０．５ｍｍ突き刺さる。操作レバー１９の移行に伴い案内ガイド傾斜部３３上にローラー１７中心部に追加した円柱突起部３２が到達し、案内ガイド傾斜部３３を通過し案内ガイド直線部３４に至ると案内ガイド直線部３４を案内に円柱突起部３２が平行移動し、上下移動駒１８に取り付けられたカッター１６の先端は記録紙２８に突き刺された状態を維持し、往復台１５は水平移動と共に切断を継続し記録紙２８の切断面後端を残さず切れ目を形成すると同時に記録紙２８をローラー１７とスリット２９上面との間に挟み込み糊付きテープ２４の糊を記録紙２８の裏側の切断部分手前に点状に安定転着させる。続いて操作レバー１９を左から右に移行する動作を開始すると、水平移動駒２０の左から右の移動に伴い上下移動駒１８を押し上げる応力がなくなり引っ張りバネ２１により上下移動駒１８を引き下げ、カッター１６の先端を上点２７’から下点２６’に戻すと同時に往復台１５は水平移動を開始し移動位置（２）（スタート位置（Ａ））に戻ると共に往復台１５に取り付けられたチエン２５が左から右に移動し、巻き取りテープリール２２を巻き取り方向に回転させるため糊付きテープ２４をチエン２５の移動距離と同じ長さ分を引き出すので全ての位置関係と状態が初期状態に戻り次の記録紙２８の送出待ちとなる。【００２９】  上記の動作では、図６に示す背中に刃を設けないカッター（ａ）を用い記録紙１２（２８）の幅方向の前端０．５ｍｍを残し切れ目を形成するようにカッター３（１６）の位置が調整されていて、操作レバー２（１９）をスタート位置に戻した後に印刷後の記録紙を水平で斜めに移動することにより、前端０．５ｍｍを残した切れ目を破壊して記録紙を引き離す。また、記録紙１２（２８）の幅方向の両端０．２〜２．０ｍｍを残し切れ目を形成するようにカッター３（１６）の位置を調整することも可能である。【００３０】  上記の動作で、図６に示す背中に刃を設けたカッター（ｂ）を用いカッター３（１６）の先端を記録紙１２（２８）の切断面前端より０．４ｍｍ内側で記録紙１２（２８）に突き刺す寸前の状態から０．５ｍｍ突き刺さる位置（上点）まで移動させることによりカッター（ｂ）の背中に設けた刃が０．４ｍｍ残した切断面前端を全て切断させ、記録紙１２（２８）の幅方向の両端を残さず切れ目を形成することも可能である。
【図面の簡単な説明】
【００３１】
【図１】本発明の４操作レバー式のカッター付糊転着機の正面図と側面図である。
【図２】本発明の４操作レバー式のカッター付糊転着機のレバー操作図である。
【図３】本発明の２操作レバー式のカッター付糊転着機の正面図と側面図である。
【図４】本発明の２操作レバー式のカッター付糊転着機のレバー操作図である。
【図５】本発明の２操作レバー式のカッター付糊転着機の改良部分を示す正面図と側面図である。
【図６】カッターの拡大図である。
【符号の説明】
【００３２】  １、１４                  本体
２、２’、１９            操作レバー
３、１６                  カッター
４、１７                  ローラー
５、５’、１５            往復台
６、２２                  巻き取りテープリール
７、２３                  糊付けテープリール
８、２４                  糊付きテープ
９                        タイミングベルト
１０、１０’、２６、２６’下点
１１、１１’、２７、２７’上点
１２、２８                記録紙
１３、２９                スリット
１８                      上下移動駒
２０                      水平移動駒
２１                      引っ張りバネ
２５                      チエン
３０、３１                案内ガイド
３２                      円柱突起部
３３                      案内ガイド傾斜部
３４                      案内ガイド直線部
（ａ）                    背中に刃を設けないカッター
（ｂ）                    背中に刃を設けたカッター
【図１】
2014172757.tif 000003
【図２】
2014172757.tif 000004
【図３】
2014172757.tif 000005
【図４】
2014172757.tif 000006
【図５】
2014172757.tif 000007
【図６】
2014172757.tif 000008